(57)【要約】【課題】低コスト化を図ることができるチェストを提供する。【解決手段】チェスト本体１２を構成するフレーム１１に引出１３を出し入れ自在に収容する。引出１３に側方に突出した引出側ローラー１２５を設け、フレーム１１に引出側ローラー１２５を案内するフレーム側レール５１を設ける。前記フレーム１１の下部側壁面６１に内側に突出した上方ガイド部６２を当該フレーム１１の底面２２に沿って形成し、前記上方ガイド部６２と前記底面２２に設定された下方ガイド部６３とによって前記引出側ローラー１２５をガイドする前記フレーム側レール５１を構成する。【選択図】図１０
2007117402.tif 000002
【特許請求の範囲】
【請求項１】
引出を出し入れ自在に収容するフレームに、前記引出より側方に突出した被案内部をガイドする案内部が設けられたチェストにおいて、
前記フレームの側壁面に内側に突出した上方ガイド部を当該フレームの底面に沿って形成し、前記上方ガイド部と前記底面とによって前記被案内部をガイドする前記案内部を構成したことを特徴とするチェスト。
【請求項２】
前記上方ガイド部の奥側に、当該上方ガイド部の手前側より幅寸法が狭い幅狭部を設定したことを特徴とする請求項１記載のチェスト。
【請求項３】
前記上方ガイド部の奥側に欠損した切欠部を設定したことを特徴とする請求項１記載のチェスト。
【発明の詳細な説明】
【技術分野】
【０００１】
本発明は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
前記引出の側面には、被案内部としてのローラーが設けられており、前記チェスト本体を構成するフレームの内側面には、前記ローラーをガイドする案内部としてのフレーム側レールが設けられている。該フレーム側レールは、前記ローラーの上方に配置される上方ガイド部と、前記ローラーの下方に配置される下方ガイド部と、両ガイド部を連設する連設部とによって断面コ字状に形成されており、前記ローラーを上下から挟んだ状態で転動自在にガイドできるように構成されている。
【０００５】
これにより、前記引出の移動をスムーズに行えるように構成されている。
【発明の開示】
【発明が解決しようとする課題】
【０００６】
しかしながら、このようなチェストにおいては、フレームに別部材からなるフレーム側レールを取り付ける必要があった。
【０００７】
これにより、低コスト化の阻害要因となっていた。
【０００８】
本発明は、このような従来の課題に鑑みてなされたものであり、低コスト化を図ることができるチェストを提供することを目的とするものである。
【課題を解決するための手段】
【０００９】
前記課題を解決するために本発明の請求項１のチェストにあっては、引出を出し入れ自在に収容するフレームに、前記引出より側方に突出した被案内部をガイドする案内部が設けられたチェストにおいて、前記フレームの側壁面に内側に突出した上方ガイド部を当該フレームの底面に沿って形成し、前記上方ガイド部と前記底面とによって前記被案内部をガイドする前記案内部を構成した。
【００１０】
すなわち、フレームの側壁面に、上方ガイド部を当該フレームの底面に沿って形成することで、前記上方ガイド部と前記底面とによって、引出の被案内部をガイドする案内部が形成される。
【００１１】
また、請求項２のチェストにおいては、前記上方ガイド部の奥側に、当該上方ガイド部の手前側より幅寸法が狭い幅狭部を設定した。
【００１２】
すなわち、引出を奥側に移動した状態において、当該引出の被案内部には、下方へ向けた荷重が加わるため、当該被案内部は、案内部の下側を構成するフレームの底面に摺接することとなる。つまり、前記被案内部の上方に配置された前記案内部の上方ガイド部は、奥側の部位が不要となる。
【００１３】
そして、この不要となる前記上方ガイド部の奥側には、当該上方ガイド部の手前側より幅寸法が狭い幅狭部が設定されている。
【００１４】
このため、当該上方ガイド部を形成する為の材料費が削減される。
【００１５】
さらに、請求項３のチェストでは、前記上方ガイド部の奥側に欠損した切欠部を設定した。
【００１６】
すなわち、引出を奥側に移動した状態において、当該引出の被案内部には、下方へ向けた荷重が加わるため、当該被案内部は、案内部の下側を構成するフレームの底面に摺接することとなる。つまり、前記被案内部の上方に配置された前記案内部の上方ガイド部は、奥側の部位が不要となる。
【００１７】
そして、この不要となる前記上方ガイド部の奥側には、欠損した切欠部が設定されている。
【００１８】
このため、当該上方ガイド部を形成する為の材料費が削減される。
【発明の効果】
【００１９】
以上説明したように、本発明の請求項１のチェストにあっては、フレームの側壁面に、上方ガイド部を当該フレームの底面に沿って形成することで、前記上方ガイド部と前記底面とによって、引出の被案内部をガイドする案内部を形成することができる。
【００２０】
したがって、引出の被案内部をガイドする為のレールをフレームに取り付ける必要があった従来と比較して、部品点数を削減することができる。
【００２１】
また、引出の被案内部をガイドする為のレールをフレームに取り付ける場合と比較して、組み付け工数を削減することができる。
【００２２】
したがって、低コスト化を図ることができる。
【００２３】
そして、引出の被案内部をガイドする為のレールをフレームの側壁に取り付ける場合と比較して、レールに加わる荷重による側壁の内側への変形を未然に防止することができる。
【００２４】
これにより、側壁が引出に干渉して摺動抵抗が発生し、引き出し自在性が低下するといった不具合を確実に防止することができる。
【００２５】
一方、引出の被案内部をガイドする為のレールをフレームの側壁に取り付ける従来において、前記レールの組み付け誤差が生じた場合、被案内部であるローラーが離脱したり、摺動抵抗が増大する恐れがあった。
【００２６】
しかし、本発明では、底面で支持するので、組み付け誤差があってもローラー等の被案内部が離脱することは無く、組み付け誤差があっても摺動自在性を確保することができる。
【００２７】
また、請求項２のチェストにおいては、使用時において不要となる上方ガイド部の奥側に、該上方ガイド部の手前側より幅寸法が狭い幅狭部を設定することで、当該上方ガイド部を形成する為の材料費を削減することができる。
【００２８】
これにより、さらなる低コスト化を図ることができる。
【００２９】
さらに、請求項３のチェストでは、使用時に不要となる上方ガイド部の奥側に、欠損した切欠部を設定することで、当該上方ガイド部を形成する為の材料費を削減することができる。
【００３０】
これにより、請求項２の場合と同様に、さらなる低コスト化を図ることができる。
【発明を実施するための最良の形態】
【００３１】
以下、本発明の一実施の形態を図に従って説明する。図１は、本実施の形態にかかるチェスト１を示す図であり、該チェスト１は、衣類や小物などを収納するものである。
【００３２】
このチェスト１は、図２にも示すように、フレーム１１を形成するチェスト本体１２と、該チェスト本体１２に設けられた矩形容器状の引出１３，１３とによって構成されている。
【００３３】
前記チェスト本体１２を形成する前記フレーム１１は、上下に連結された二つフレーム構成部材２１，２１によって構成されており、下段のフレーム構成部材２１の底面２２裏側には、キャスター２３，・・・が四隅に設けられている。上段のフレーム構成部材２１には、天板２４が設けられており、両フレーム構成部材２１，２１間及び上段のフレーム構成部材２１と前記天板２４間には、前記引出１３，１３が引き出し自在に保持されている。
【００３４】
前記フレーム構成部材２１は、合成樹脂で形成されており、当該フレーム構成部材２１は、図３に示すように、中央部に矩形開口部３１が形成された長方形状の底板部３２と、該底板部３２の四隅に一体形成された支柱３３，・・・とによって構成されている。
【００３５】
該支柱３３は、四角柱状に形成されており、前記底板部３２に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４３が形成されている。下段のフレーム構成部材２１の支柱３３の挿入部４２は、上段のフレーム構成部材２１の支柱３３下部に挿入された状態で固定されており、上段のフレーム構成部材２１の支柱３３の挿入部４２は、前記天板２４に挿入された状態で固定されている。
【００３６】
前記フレーム構成部材２１における前後の支柱３３，３３間には、図４にも示すように、フレーム側レール５１が設けられている。
【００３７】
すなわち、両支柱３３，３３間には、下部側壁面６１が両支柱３３，３３の下部に一体形成されており、該下部側壁面６１には、内側へ向けて突出した上方ガイド部６２が当該フレーム構成部材２１の前記底板部３２の底面２２に沿って形成されている。
【００３８】
なお、この下部側壁面６１は、当該フレーム構成部材２１の上部に達するものであっても良い。
【００３９】
前記上方ガイド部６２は、その奥側に欠損した切欠部６５が設定されており、当該上方ガイド部６２は、奥側の支柱３３より手前側で終了するように構成されている。これにより、当該フレーム構成部材２１には、前記上方ガイド部６２と、該上方ガイド部６２に対向した前記底板部３２の対向部位が構成する下方ガイド部６３とによって、本発明の案内部を構成する前記フレーム側レール５１が構成されている。
【００４０】
このフレー構成部材２１の支柱３３，３３の内側面には、内側に突出した突出部７１，７１が上端部から下端に渡って形成されており、前方Ｆ側に配置された支柱３３における前記突出部７１は、下端部において前方に延出している。この前方に突出した前方突出部７２には、上下に延在する切欠部７３が形成されており、該切欠部７３は、上方へ向けて開口するように構成されている。
【００４１】
この切欠部７３の上方開口部８１からは、図５及び図６に示すように、ベース部材８２が挿入された状態で固定されるように構成されている。該ベース部材８２は、矩形状のベース本体８３と、該ベース本体８３より下方に延出した下方延出部８４とからなり、該下方延出部８４の先端には、前記切欠部７３に挿入した状態で、前記フレーム構成部材２１と係合する係合爪８５が設けられている。
【００４２】
また、前記ベース本体８３には、円形穴９１が設けられており、該円形穴９１には、図６に示したように、金属製のフレーム側ローラー９２を挿通した図外の軸部が固定されるように構成されている。これにより、当該ベース部材８２には、前記フレーム側ローラー９２が回動自在に支持されており、当該ベース部材８２を、図４及び図７に示すように、前記切欠部７３に固定した状態で、前記フレーム側ローラー９２を前記フレーム側レール５１の延長上に配置できるように構成されている。
【００４３】
なお、この前記フレーム側ローラ９２を、前記フレーム構成部材２１にインサート成型しても良い。
【００４４】
このフレーム構成部材２１の左右の支柱３３，・・・間に保持される前記引出１３は、合成樹脂によって形成されており、図８にも示すように、上方が開口した矩形容器状に形成されている。この引出１３は、上下方向に型開きされる金型によって成形されており、左右の側面１０１，１０１の横幅寸法及び前面１０２並びに後面１０３の奥行き寸法は、抜き勾配によって下方へ向かうに従って小さくなるように形成されている。これにより、対向した左右の側面１０１，１０１と、対向した前面１０２及び後面１０３は傾斜するとともに、内径寸法が上方へ向かうに従って広がるように設定されており、引出１３，１３同士を重ねて保管できるように構成されている。
【００４５】
この引出１３には、各側面１０１，１０１の下部に引出側レール１１１が固定されており、該引出側レール１１１は、前記フレーム１１より硬質の金属によって構成されている。
【００４６】
この引出側レール１１１は、図８及び図９にも示すように、側面部１２１と天面部１２２とからなる断面Ｌ字状に形成されており、前記側面部１２１には、前記引出１３の側面１０１に設けられた固定部１２３，・・・に固定される固定爪１２４，・・・が切り起こされている。前記側面部１２１の端部には、本発明の被係合部を構成する引出側ローラー１２５が回転自在に支持されており、該引出側ローラー１２５が位置する前記天面部１２２の端部には、前記引出側ローラー１２５の上部が突出させる為の切欠部１２６が設けられている。
【００４７】
なお、本実施の形態では、前記引出１３より側方に突出した前記引出側ローラー１２５によって、本発明の被案内部を構成する場合を例に挙げたが、これに限定されるものではなく、引出１３より側方に突出した突出部で本発明の被案内部を構成してもよい。
【００４８】
これにより、図１０に示すように、前記引出１３より側方に突出した前記引出側ローラー１２５は、前記フレーム構成部材２１に設けられた前記フレーム側レール５１に案内される一方、前記フレーム構成部材２１に設けられたフレーム側ローラー９２は、前記引出１３に設けられた前記引出側レール１１１に案内されるように構成されている。
【００４９】
そして、前記フレーム１１から前記引出１３を引き出す際には、前記フレーム構成部材２１に設けられた前記フレーム側ローラー９２が前記引出１３に設けられた前記引出側レール１１１の前記天面部１２２を支持する一方、前記引出１３が当該引出１３の荷重によって前のめりになった際には、該引出１３に設けられた前記引出側ローラー１２が前記フレーム構成部材２１に形成された前記フレーム側レール５１の前記上方ガイド部６２に支持されるように構成されている（図示省略）。さらに、前記引出１３を引き出した際には、図１１に示すように、前記引出側ローラー１２が前記フレーム側レール５１から離脱することによって、当該引出１３をチェスト本体１２から取り出せるように構成されている。
【００５０】
以上の構成にかかる本実施の形態において、フレーム１１の下部側壁面６１に上方ガイド部６２を、当該フレーム１１の底板部３２が構成する底面２２に沿って形成することで、前記上方ガイド部６２と前記底面２２に設定された下方ガイド部６３とによって、前記引出１３に設けられた引出側ローラー１２５をガイドするフレーム側レール５１を形成することができる。
【００５１】
したがって、引出１３の被案内部である引出側ローラー１２５をガイドする為のレールをフレーム１１に取り付ける必要があった従来と比較して、部品点数を削減することができる。
【００５２】
また、引出１３の被案内部である引出側ローラー１２５をガイドする為のレールをフレーム１１に取り付ける場合と比較して、組み付け工数を削減することができる。
【００５３】
これらによって、低コスト化を図ることができる。
【００５４】
そして、引出１３の被案内部である引出側ローラー１２５をガイドする為のレールをフレーム１１の下部側壁面６１に取り付ける場合と比較して、レールに加わる荷重による前記下部側壁面６１の内側への変形を未然に防止することができる。
【００５５】
これにより、前記下部側壁面６１が前記引出１３に干渉して摺動抵抗が発生し、引き出し自在性が低下するといった不具合を確実に防止することができる。
【００５６】
一方、引出１３の被案内部である引出側ローラー１２５をガイドする為のレールをフレーム１１を壁面に取り付ける従来において、前記レールの組み付け誤差が生じた場合、被案内部である引出側ローラー１２５が離脱したり、摺動抵抗が増大する恐れがあった。
【００５７】
しかし、本発明では、前記引出側ローラー１２５を前記底面２２で支持するので、組み付け誤差があっても前記引出側ローラー１２５が離脱することは無く、組み付け誤差があっても前記引出側ローラー１２５の摺動自在性を確保することができる。
【００５８】
したがって、前記引出１３の引出側ローラー１２５をガイドする為の金属レールを前記フレーム１１に取り付ける必要があった従来と比較して、部品点数及び組み付け工数を削減することができ、低コスト化を図ることができる。
【００５９】
一方、前記引出１３を奥側に移動した状態において、当該引出１３の引出側ローラー１２５には、下方へ向けた荷重が加わるため、当該引出側ローラー１２５は、前記フレーム側レール５１の前記フレーム側レール５１の下側を構成する前記フレーム１１の底面２２に設定された前記下方ガイド部６３を転動することとなる。つまり、前記フレーム側レール５１の上方に配置された前記フレーム側レール５１の上方ガイド部６２は、奥側の部位が不要となる。
【００６０】
そして、この不要となる前記上方ガイド部６２の奥側には、欠損した切欠部６５が設定されている。このため、当該上方ガイド部６２を形成する為の材料費を削減することができる。これにより、低コスト化を図ることができる。
【００６１】
なお、本実施の形態にあっては、フレーム側レール５１を構成する上方ガイド部６２の奥側に切欠部６５を設けた場合を例に挙げて説明したが、これに限定されるものではなく、図１３及び図１４に示すように、前記上方ガイド部６２を奥側の支柱３３まで延長するとともに、当該上方ガイド部６２の奥側の終端部に、当該上方ガイド部６２の手前側より奥側へ向かうに従って幅寸法Ｈが狭くなる幅狭部１３１を設定しても良い。
【００６２】
この場合も、前記上方ガイド部１３１を形成する為の材料費を削減することができ、低コスト化を図ることができる。
【図面の簡単な説明】
【００６３】
【図１】本発明の一実施の形態の正面を示す一部断面図である。
【図２】同実施の形態の側面図である。
【図３】同実施の形態の要部を示す一部断面図である。
【図４】同実施の形態のフレームを示す断面図である。
【図５】同実施の形態のベース部材を示す図であり、（ａ）は平面図、（ｂ）は側面図、（ｃ）は底面図である。
【図６】同実施の形態のベース部材を分解断面図である。
【図７】同実施の形態のフレーム構成部材の要部を示す図であり、（ａ）は支柱の切欠部部分を示す断面図であり、（ｂ）は切欠部にベース部材を取り付けた状態を示す側面図である。
【図８】同実施の形態の要部を示す断面図である。
【図９】同実施の形態の引出側レールを示す図で、（ａ）は平面図であり、（ｂ）は側面図である。
【図１０】同実施の形態の動作を示す説明図である。
【図１１】図１０に続く動作を示す説明図である。
【図１２】本発明の他の実施の形態を示す図である。
【図１３】図１２の平面図である。
【符号の説明】
【００６４】
１    チェスト
１１    フレーム
１２    チェスト本体
１３    引出
３２    底板部
５１    フレーム側レール
６１    下部側壁面
６２    上方ガイド部
６３    下方ガイド部
６５    切欠部
８２    ベース部材
９２    フレーム側ローラ
１０１    側面
１１１    引出側レール
１２５    引出側ローラー
１３１    幅狭部
【図１】
2007117402.tif 000003
【図２】
2007117402.tif 000004
【図３】
2007117402.tif 000005
【図４】
2007117402.tif 000006
【図５】
2007117402.tif 000007
【図６】
2007117402.tif 000008
【図７】
2007117402.tif 000009
【図８】
2007117402.tif 000010
【図９】
2007117402.tif 000011
【図１０】
2007117402.tif 000012
【図１１】
2007117402.tif 000013
【図１２】
2007117402.tif 000014
【図１３】
2007117402.tif 000015